(57)【要約】【課題】機能パネル用化粧カバーにおいて、低コストで且つ簡単な構造で内部に配設された電力線や集熱配管の保護を実現可能な構造を備えたものを提供すること。【解決手段】太陽電池パネルと集熱パネルの少なくとも一方を含む機能パネル１の周囲に配置される機能パネル用化粧カバー１０であって、表面側に固定用ビス３７をねじ込むことによって部品３６又は部材４３が固定される機能パネル用化粧カバー１０において、機能パネル用化粧カバー１０の裏面側のうちの固定用ビス３７の突出した部分の近傍部に、固定用ビス３７の突出高さ以上の高さを有するリブ３５ａ，３５ｂが長手方向の全長に亙って一体的に設けられ、機能パネル用化粧カバー１０の外表面に、固定用ビス３７のねじ込む位置を示す為の凹溝４１が形成されている。【選択図】図２
2014080796.tif 000002
【特許請求の範囲】
【請求項１】
太陽電池パネルと集熱パネルの少なくとも一方を含む機能パネルの周囲に配置される機能パネル用化粧カバーであって、表面側に固定用ビスをねじ込むことによって部品又は部材が固定される機能パネル用化粧カバーにおいて、
前記機能パネル用化粧カバーの裏面側のうちの前記固定用ビスの突出した部分の近傍部に、前記固定用ビスの突出高さ以上の高さを有するリブが一体的に設けられたことを特徴とする機能パネル用化粧カバー。
【請求項２】
前記リブは、前記機能パネル用化粧カバーの長手方向の全長に亙って設けられていることを特徴とする請求項１に記載の機能パネル用化粧カバー。
【請求項３】
前記機能パネル用化粧カバーの外表面に、前記固定用ビスのねじ込む位置を示す為の凹溝が形成されていることを特徴とする請求項１又は２に記載の機能パネル用化粧カバー。
【発明の詳細な説明】
【技術分野】
【０００１】
本発明は機能パネル用化粧カバーに関し、特に化粧カバー内部に配設された電力線や集熱配管が固定用ビスの先端により損傷するのを防止する構造を備えたものに関する。
【背景技術】
【０００２】
従来から、太陽光から発電を行う太陽電池パネルや太陽熱を利用する集熱パネル等の種々の機能パネルが、屋根等の平坦又は傾斜した設置面上に固定用架台を介して設置されている。この固定用架台は、設置面に固定具を介して固定される複数の縦ラックと、これら縦ラックの上に固定される複数の横ラックとで構成されている。
【０００３】
一般的に、上記の機能パネルは、発電機能や集熱機能を備えた１枚のパネル本体と、このパネル本体の外周に設けられた枠状フレームとを有し、前記パネル本体から外部に延びる電力を外部に出力可能な電力線や熱媒体が流通する集熱配管を介して、家庭内の種々の機器に電力や熱を供給している。
【０００４】
ところで、屋根上に複数の機能パネルを設置する構造上、これら機能パネルから延びる電力線や集熱配管が屋根上に露出してしまい、紫外線や風雨に晒されて劣化したり、外観が悪化するという問題がある。このため、機能パネルの周囲に化粧カバーを取り付け、この化粧カバーの内部に電力線や集熱配管を収納して、劣化を防止すると共に外観を向上させている場合が多い。
【０００５】
上記の化粧カバーは、必要に応じて部品や部材（例えば、ネームプレートや別のカバー部材等）が追加的に設けられる場合があり、この場合は化粧カバーの外表面から固定用ビスをねじ込むことによって部品又は部材を固定している。しかし、化粧カバーの内部には電力線や集熱配管が収納されているので、固定用ビスの先端で誤って電力線や集熱配管を損傷させてしまう虞がある。
【０００６】
そこで、固定用ビスによる電力線や集熱配管の損傷を防止する為に、例えば、特許文献１には、カバー受け手段を備えた構造が開示されている。即ち、このカバー受け手段を備えた構造においては、機能パネルの側面部の長手方向の複数箇所にブラケット（カバー受け手段）を取り付け、これらブラケットの上端部に機能パネルの長手方向に沿うように化粧カバーを取り付けることで、電力線及び集熱配管用収容部とビス脚用収容部とを区画形成し、固定用ビスの先端をビス脚用収容部に収容されるようにねじ込むことで電力線や集熱配管が損傷するのを防止している。
【先行技術文献】
【特許文献】
【０００７】
【特許文献１】特開２００３−２９８０９８号公報
【発明の概要】
【発明が解決しようとする課題】
【０００８】
しかし、上記の特許文献１の構造では、固定用ビスの先端をブラケットにより区画形成されたビス脚収容部に収容することで、電力線や集熱配管が損傷するのを防止しているが、この構造では、特殊な形状のブラケットを必要とするので、化粧カバーを取り付ける為の部品点数が増加すると共に取付け構造が複雑化してしまい、故に、機能パネルの据付け作業の工程数が増加して据付け作業に手間がかるので、コスト高となってしまう。
【０００９】
ところで、化粧カバーの内部の電力線や集熱配管を保護する為に、ブラケット等を設けずに化粧カバーの裏面側のうちの固定用ビスがねじ込まれる位置に緩衝材を貼り付け、この緩衝材に固定用ビスの先端をねじ込む場合もある。しかし、緩衝材を裏面側に貼付ける構造は、上記と同様に部品点数が増加する上、化粧カバーの裏面側に緩衝材を貼付ける作業に手間がかかるので、結果的にコストが上昇してしまう。
【００１０】
本発明の目的は、機能パネル用化粧カバーにおいて、低コストで且つ簡単な構造で内部に配設された電力線や集熱配管の保護を実現可能な構造を備えたものを提供することである。
【課題を解決するための手段】
【００１１】
請求項１の機能パネル用化粧カバーは、太陽電池パネルと集熱パネルの少なくとも一方を含む機能パネルの周囲に配置される機能パネル用化粧カバーであって、表面側に固定用ビスをねじ込むことによって部品又は部材が固定される機能パネル用化粧カバーにおいて、前記機能パネル用化粧カバーの裏面側のうちの前記固定用ビスの突出した部分の近傍部に、前記固定用ビスの突出高さ以上の高さを有するリブが一体的に設けられたことを特徴としている。
【００１２】
請求項２の機能パネル用化粧カバーは、請求項１の発明において、前記リブは、前記機能パネル用化粧カバーの長手方向の全長に亙って設けられていることを特徴としている。
【００１３】
請求項３の機能パネル用化粧カバーは、請求項１又は２の発明において、前記機能パネル用化粧カバーの外表面に、前記固定用ビスのねじ込む位置を示す為の凹溝が形成されていることを特徴としている。
【発明の効果】
【００１４】
請求項１の発明によれば、機能パネル用化粧カバーの裏面側のうちの固定用ビスの突出した部分の近傍部に、固定用ビスの突出高さ以上の高さを有するリブが一体的に設けられたので、固定用ビスを機能パネル用化粧カバーの外表面からねじ込んだ場合、裏面側のリブによって、固定用ビスの先端に内部に収容された電力線や集熱配管が接近しなくなり、固定用ビスの先端が電力線や集熱配管と干渉するのを防止することができ、故に、簡単な構造で電力線や集熱配管を保護することができる。
【００１５】
また、機能パネル用化粧カバーに一体的にリブを設ける構造上、ブラケットや緩衝材等の追加的な部材を使用する場合と比較すると、低コストで電力線や集熱配管を保護する構造が実現できる。
【００１６】
請求項２の発明によれば、リブは、機能パネル用化粧カバーの長手方向の全長に亙って設けられているので、機能パネル用化粧カバーの外表面に対する固定用ビスのねじ込み位置の選択性が向上すると共に、リブを長手方向の全長に亙って設けるので、機能パネル用化粧カバーを押し出し成形材を用いて製作する場合に有利となる。
【００１７】
請求項３の発明によれば、機能パネル用化粧カバーの外表面に、固定用ビスのねじ込む位置を示す為の凹溝が形成されているので、外表面からでもリブの位置が明確になり、据付け現場にて、固定用ビスの先端を凹溝に確実に係合して穿孔を安定的に行うことができる。凹溝により固定用ビスの先端が滑ることもなく、機能パネル用化粧カバーの表面が損傷するのを防止でき、機能パネル用化粧カバーの品質低下を防止できる。
【図面の簡単な説明】
【００１８】
【図１】実施例１に係る架台に設置された複数の機能パネルと機能パネル用化粧カバーの平面図である。
【図２】図１の軒側部分の側面拡大図である。
【図３】機能パネル用化粧カバーの部分斜視図である。
【図４】部分変更形態に係る軒側部分の側面拡大図である。
【図５】部分変更形態に係る軒側部分の側面拡大図である。
【図６】部分変更形態に係る軒側部分の側面拡大図である。
【発明を実施するための形態】
【００１９】
以下、本発明を実施するための形態について実施例に基づいて説明する。
【実施例】
【００２０】
先ず、各種建物の屋上等に設置された固定用架台２に複数の機能パネル１が設置された全体構造について簡単に説明する。
図１に示すように、複数の機能パネル１が、屋根の設置面Ｓ上に固定用架台２を介して設置されている。複数の機能パネル１は、例えば、３行４列のマトリックス状に並べられており、パネル行の各々は２条の横ラック８（図２参照）により縦方向両端を支持する状態に設置されている。
【００２１】
図１，図２に示すように、機能パネル１は、太陽熱を利用して熱媒体を加熱可能な集熱パネルから構成されている。即ち、機能パネル１（集熱パネル）は、熱媒体を流通させる為の内部配管が組み込まれた１枚のパネル本体３と、このパネル本体３の外周に設けられた枠状フレーム４とを有し、パネル本体３の内部配管の上流側端部と下流側端部には、往き側及び戻り側集熱配管５が夫々接続されている。
【００２２】
図１に示すように、湯水を貯留可能な貯湯タンク６が、例えば、各種建物の軒下や建物間の隙間等に配設されている。貯湯タンク６の内部には、熱媒体の循環経路の一部を形成する熱交換通路部（熱交換器）が設けられ、この熱交換通路部に往き側及び戻り側集熱配管５が夫々連通され、機能パネル１で加熱された熱媒体と貯湯タンク６内の湯水との間で熱交換が行われ、家庭内の種々の機器に貯湯タンク６内の湯水が供給される。
【００２３】
尚、機能パネル１の形状は、長方形状に限らず正方形状や台形状のものであっても良く、特にサイズを限定する必要はない。機能パネル１を構成する集熱パネルは、既存のものなので、これ以上の詳細な説明は省略する。
【００２４】
次に、固定用架台２について説明する。
図１，図２に示すように、固定用架台２は、設置面Ｓに複数の機能パネル１を取り付ける為のものであり、縦方向向きに延びる複数の縦ラック７と、横方向向きに延びる複数の横ラック８とを有する。複数の縦ラック７は、横方向に適当間隔おきに配設されている。複数の横ラック８は、複数の縦ラック７の上に機能パネル１の上下幅（縦幅）とほぼ等しい間隔おきに配設されている。
【００２５】
縦ラック７と横ラック８は、夫々、アルミニウム又はアルミニウム合金を押し出し成形した条材である。縦ラック７は複数の固定金具７ａを介して設置面Ｓに固定されている。縦ラック７と横ラック８の各交差部において、横ラック８は縦ラック７に対して１対の連結金具９により固定されている。
【００２６】
次に、本発明に係る機能パネル用化粧カバー１０について説明する。
図１〜図３に示すように、機能パネル用化粧カバー１０（以下、化粧カバー１０という）は、機能パネル１の周囲に配置されるものであり、パネル行とパネル行の間の横ラック８の上面側を覆う複数の間カバー２１、最上段の横ラック８の上面側を覆う棟カバー２２、最下段の横ラック８の上面側を覆う軒カバー２３を有している。
【００２７】
化粧カバー１０は、複数の機能パネル１から延びる電力線や集熱配管を収容して屋根等の外観性を向上させる為のものであり、アルミニウム又はアルミニウム合金を押し出し成形した条材である。尚、この実施例において、軒カバー２３に本願特有の構造が適用されているので、以下では、軒カバー２３の構造について主に説明する。また、以下の説明では、図２の上下左右を上下左右として説明する。
【００２８】
図２，図３に示すように、軒カバー２３は、上方に向って湾曲した係合板部２４と、この係合板部２４の左端部から設置面Ｓと略平行な方向へ延びる上面板部２５と、この上面板部２５の左端部から下り傾斜状に延びる傾斜板部２６と、この傾斜板部２６の下端部から設置面Ｓと略直交する方向へ延びる側面板部２７と、この側面板部２７の途中部から内側に向って延びる側面視Ｌ字状の内側板部２８とから一体的に形成されている。
【００２９】
次に、１対のリブ３５ａ，３５ｂについて説明する。
図２，図３に示すように、傾斜板部２６の外表面には、ネームプレート等の薄板状の部品３６が複数の固定用ビス３７を介して取り付けられ、傾斜板部２６の裏面側のうちの固定用ビス３７の突出した部分の近傍部に、１対のリブ３５ａ，３５ｂが軒カバー２３の長手方向の全長に亙って一体的に設けられている。この１対のリブ３５ａ，３５ｂは、軒カバー２３を押し出し成形する際に形成されるものである。
【００３０】
図２に示すように、１対のリブ３５ａ，３５ｂは、傾斜板部２６と直交状に且つ互いに平行状に内側に向って延びるように夫々形成されている。１対のリブ３５ａ，３５ｂ間は、固定用ビス３７のネジ部３７ａの外径より大きい幅に設定されている。各リブ３５ａ，３５ｂは、固定用ビス３７のネジ部３７ａが軒カバー２３の内部に最大限突出した突出高さ以上の高さ（例えば１０ｍｍ程度の高さ）を有している。但し、各リブ３５ａ，３５ｂの高さは、固定用ビス３７の突出高さ以上の高さであれば、前記のサイズに限定される訳ではない。
【００３１】
このように、１対のリブ３５ａ，３５ｂを傾斜板部２６の裏面側に一体的に設けることで、化粧カバー１０の内部に収納された集熱配管５が傾斜板部２６の裏面側に移動してきても、リブ３５ａ，３５ｂの先端部が集熱配管５の表面に当接するので、固定用ビス３７の先端部が集熱配管５の表面に接触するのを防止することができる。
【００３２】
次に、凹溝４１について説明する。
図３に示すように、化粧カバー１０の傾斜板部２６の外表面に、固定用ビス３７のねじ込む位置を示す為の凹溝４１が形成されている。即ち、凹溝４１は、裏面側の１対のリブ３５ａ，３５ｂの中心部に対応する傾斜板部２６の外表面の長手方向の全長に亙って延びるように形成されている。この凹溝４１は、軒カバー２３を押し出し成形する際に形成される。
【００３３】
凹溝４１は、断面Ｖ字状の溝であり、固定用ビス３７の先端が係合可能なように形成されている。凹溝４１は、例えば、深さ０．３〜０．５ｍｍ程度、幅１〜３ｍｍ程度に形成されている。尚、凹溝４１は、断面Ｖ字状に形成しているが、特にこの形状に限定する必要はなく、断面Ｕ字状に形成しても良いし、他の形状に形成しても良い。
【００３４】
次に、化粧カバー１０の機能パネル１への固定構造について説明する。
図２に示すように、上面板部２５の裏面側には、Ｌ字形壁部２５ａと縦壁部２５ｂとから構成される係合溝部２５ｃが長手方向の全長に亙って形成され、上面板部２５の長手方向の複数箇所には、軒カバー２３を機能パネル１へ固定する為の複数の固定機構３１が取り付けられている。
【００３５】
各固定機構３１は、固定用ボルト３２と断面視Ｌ字形の固定金具３３とから構成され、固定用ボルト３２は上面板部２５に形成された挿通孔を挿通して、固定金具３３の横板部３３ａに形成されたネジ穴に螺合され、固定金具３３の縦板部３３ｂが係合溝部２５ｃに下方から挿入され、固定用ボルト３２の操作を介して機能パネル１への固定・固定解除可能なものである。
【００３６】
図２に示すように、機能パネル１の縦方向両端部において、上端部には、化粧カバー１０を取り付け可能な外側に突出する取付突部１ａが長手方向の全長に亙って夫々形成され、下端部には、固定用架台２に係合又は載置可能な外側に突出する係合突部１ｂが長手方向の全長に亙って夫々形成されている。
【００３７】
軒カバー２３を機能パネル１に固定する場合は、係合板部２４と固定金具３３の横板部３３ａとの間に機能パネル１の取付突部１ａを挿入して、係合板部２４の下端部を取付突部１ａの上方凸状の上端部に係合し、この状態で固定用ボルト３２を締め付けると、横板部３３ａの上端面が取付突部１ａの下端部に下方から当接して押圧し、係合板部２４と横板部３３ａとで取付突部１ａを挟持することで、横ラック８の上方を覆うように軒カバー２３を機能パネル１に固定することができる。
【００３８】
図２に示すように、傾斜板部２６の裏面側には、２つの断面視Ｃ字形のビス螺合部３８ａ，３８ｂが１対のリブ３５ａ，３５ｂを挟んで長手方向の全長に亙って夫々形成されている。軒カバー２３の長手方向両端部に別のカバー部材を取り付ける場合、固定用ビスを別のカバー部材の挿通孔を挿通して、先端をビス螺合部３８ａ，３８ｂに螺合することで、別のカバー部材を軒カバー２３に取り付けることができる。
【００３９】
側面板部２７は、縦ラック７の軒側（左側）端部の近傍部まで延びるように形成されている。この側面板部２７に形成された内側板部２８は、横板部２８ａと縦板部２８ｂとから一体的に構成され、軒カバー２３を機能パネル１に固定した状態では、縦板部２８ｂは横ラック８の縦壁部に右方から僅かな間隔を空けて係合される。
【００４０】
次に、本発明の化粧カバー１０の作用及び効果について説明する。
先ず、複数の縦ラック７を設置面Ｓの縦方向向きに且つ横方向に適当間隔おきに配設し、次に、複数の横ラック８を複数の縦ラック７の上に横方向向きに且つ機能パネル１の縦幅とほぼ等しい間隔おきに配設し、次に、図１に示すように、複数の機能パネル１を２条の横ラック８の間に上下両端を支持する状態に配置して固定金具（図示略）により横ラック８に固定していく。
【００４１】
次に、機能パネル１の設置位置に応じて、パネル行とパネル行の間の各横ラック８に間カバー２１を取り付ける。次に、最上段の複数の機能パネル１に棟カバー２２を取り付け、次に、最下段の複数の機能パネル１に軒カバー２３を取り付ける。これら化粧カバー１０を取り付ける際には、機能パネル１から延びる集熱配管５を化粧カバー１０の内部に収納していく。
【００４２】
ここで、軒カバー２３の表面側に固定用ビス３７をねじ込むことによって部品３６を固定する場合、部品３６を所定の取り付け位置に配置し、固定用ビス３７の先端を部品３６に予め形成された挿通孔３６ａに挿通して凹溝４１に係合させる。次に、ドライバーなどの工具を頭部３７ｂに係合させて、固定用ビス３７を回転させて、傾斜板部２６の１対のリブ３５ａ，３５ｂ間に穿孔しながら固定用ビス３７を螺合させることで、部品３６を軒カバー２３に固定する。
【００４３】
以上説明したように、化粧カバー１０の裏面側のうちの固定用ビス３７の突出した部分の近傍部に、固定用ビス３７の突出高さ以上の高さを有するリブ３５ａ，３５ｂが一体的に設けられたので、固定用ビス３７を化粧カバー１０の外表面からねじ込んだ場合、裏面側のリブ３５ａ，３５ｂによって、固定用ビス３７の先端の方に内部に収容された集熱配管５が接近しなくなり、固定用ビス３７の先端が集熱配管５と干渉するのを防止することができ、故に、簡単な構造で集熱配管５を保護することができる。
【００４４】
また、化粧カバー１０に一体的にリブ３５ａ，３５ｂを設ける構造上、ブラケットや緩衝材等の追加的な部材を使用する場合と比較すると、低コストで集熱配管５を保護する構造が実現できる。
【００４５】
さらに、リブ３５ａ，３５ｂは、化粧カバー１０の長手方向の全長に亙って設けられているので、化粧カバー１０の外表面に対する固定用ビス３７のねじ込み位置の選択性が向上すると共に、リブ３５ａ，３５ｂを長手方向の全長に亙って設けるので、化粧カバー１０を押し出し成形材を用いて製作する場合に有利となる。
【００４６】
加えて、化粧カバー１０の外表面に、固定用ビス３７のねじ込む位置を示す為の凹溝４１が形成されているので、外表面からでもリブ３５ａ，３５ｂの位置が明確になり、据付け現場にて、固定用ビス３７の先端を凹溝４１に確実に係合して穿孔を安定的に行うことができる。凹溝４１により固定用ビス３７の先端が滑ることもなく、化粧カバー１０の表面が損傷するのを防止でき、化粧カバー１０の品質低下を防止できる。
【００４７】
次に、前記実施例を部分的に変更した形態について説明する。
［１］前記実施例では、軒カバー２３の裏面側に１対のリブ３５ａ，３５ｂを設けた構造について説明したが、図４に示すように、軒カバー２３Ａにおいて、１対のリブ３５ａ，３５ｂのうちの傾斜方向下側のリブ３５ｂを省略して、傾斜板部２６Ａの裏面側に１つのリブ３５ａを設けた構造であっても良い。尚、１対のリブ３５ａ，３５ｂのうちの傾斜方向上側のリブ３５ａを省略して、傾斜板部２６Ａの裏面側に１つのリブ３５ｂを設けた構造であっても良い。
【００４８】
また、図５に示すように、軒カバー２３Ｂにおいて、傾斜板部２６Ｂの裏面側に固定用ビス３７のネジ部３７ａの先端を覆うような断面視Ｌ字形のリブ３５ｃを設けた構造であっても良い。これらの構造によれば、リブ３５ａ，３５ｃによって固定用ビス３７の先端が化粧カバー１０の内部に配設された集熱配管５と干渉するのを防止することができる。
【００４９】
［２］図６に示すように、軒カバー２３Ｃにおいて、傾斜板部２６に代えて（又は加えて）側面板部２７Ｃに１対のリブ４５ａ，４５ｂを一体的に設けた構造であっても良い。即ち、側面板部２７Ｃに軒下カバー等の部材４３が複数の固定用ビス３７Ｃを介して取り付けられ、側面板部２７Ｃの裏面側のうちの固定用ビス３７Ｃの突出した部分の近傍部に、固定用ビス３７Ｃの突出高さ以上の高さを有する１対のリブ４５ａ，４５ｂが一体的に設けられている。
【００５０】
この１対のリブ４５ａ，４５ｂは、前記実施例の１対のリブ３５ａ，３５ｂと同様な形状のものであり、同様な効果を奏するものである。また、側面板部２７Ｃの１対のリブ４５ａ，４５ｂの中心部に対応する外表面に、固定用ビス３７Ｃのねじ込む位置を示す為の前記凹溝４１と同様な凹溝を形成しても良い。
【００５１】
［３］前記実施例では、機能パネル１は、集熱パネルから構成されているが、この集熱パネルに代えて、太陽光から発電を行う太陽電池パネルで構成されても良い。太陽電池パネルは、発電機能を備えたパネル本体と、このパネル本体の外周に設けられた枠状フレームとを有している。
【００５２】
太陽電池パネルは、パネル本体から外部に延び且つ電力を外部に出力可能な電力線を介して、家庭内の種々の機器に電力を供給可能である。即ち、機能パネル１が太陽電池パネルで構成される場合は、軒カバー２３の１対のリブ３５ａ，３５ｂにより固定用ビス３７の先端が電力線と干渉するのを防止することができる。
【００５３】
また、機能パネル１として、発電機能と集熱機能との両方を兼ね備えたハイブリッドパネルを採用しても良い。この場合、軒カバー２３の１対のリブ３５ａ，３５ｂにより固定用ビス３７の先端が電力線と集熱配管との両方と干渉するのを防止することができる。
【００５４】
［４］前記化粧カバー１０は、機能パネル１に対して着脱可能な構造であるが、この構造に限定する必要はなく、固定用架台２に対して着脱可能な構造であっても良い。
【００５５】
［５］その他、当業者であれば、本発明の趣旨を逸脱することなく、前記実施例に種々の変更を付加した形態で実施可能であり、本発明はそのような変更形態を包含するものである。
【符号の説明】
【００５６】
Ｓ    設置面
１    機能パネル
２    固定用架台
１０  機能パネル用化粧カバー
３５ａ，３５ｂ，３５ｃ  リブ
３６  部品
３７，３７Ｃ  固定用ビス
４１  凹溝
４３  部材
４５ａ，４５ｂ  リブ
【図１】
2014080796.tif 000003
【図２】
2014080796.tif 000004
【図３】
2014080796.tif 000005
【図４】
2014080796.tif 000006
【図５】
2014080796.tif 000007
【図６】
2014080796.tif 000008